(57)【要約】  【課題】制水弁内の流路方向を容易に判別できる流路方向表示具を備えた制水弁を提供する。  【解決手段】保護筐３内の制水弁５のフランジ部24を固定するボルト体31a,31bのうち、制水弁５の流路方向に沿った直線上に位置する一対のボルト体31bを長ボルトとする。一対のボルト体31bをフランジ部24の上端面よりも上方に向けて突出する。一対のボルト体31bが制水弁５の流路方向を表示する流量方向表示具36となる。保護筐３内に土砂が堆積しても、制水弁５の一対のボルト体31bが保護筐３内に堆積した土砂よりも上方に突出していれば、制水弁５の流路方向や、制水弁５に接続された上水用配管６の流路方向を容易に判別できる。  【選択図】図１
2005337331.tif 000002
【特許請求の範囲】
【請求項１】
地中に埋設されている筐体の内部に設置されたバルブのバルブ本体内を通過する流動体の流路方向を表示する流路方向表示具であって、
前記バルブ本体から上方に向けて突出する流路方向表示手段を備えた
ことを特徴とした流路方向表示具。
【請求項２】
流路方向表示手段は、バルブ操作具の嵌合部が嵌合される被嵌合部が設けられバルブを開閉させる開閉操作部の前記被嵌合部の下端より上方に向けて突出している
ことを特徴とした請求項１記載の流路方向表示具。
【請求項３】
流路方向表示手段は、バルブ本体の上部に取り付けられたフランジ部を固定するボルトを上方に突出させて構成されている
ことを特徴とした請求項１または２記載の流路方向表示具。
【請求項４】
流路方向表示手段は、バルブ本体の上部に取り付けられたフランジ部を固定するボルトおよびナットのいずれかに接続されている
ことを特徴とした請求項１または２記載の流路方向表示具。
【請求項５】
地中に埋設されている筐体の内部に設置されたバルブ本体と、
このバルブ本体内を通過する流動体の流路方向を表示する請求項１ないし４いずれか記載の流路方向表示具と
を具備したことを特徴としたバルブ。
【発明の詳細な説明】
【技術分野】
【０００１】
本発明は、地中に埋設されている筐体の内部に設置されたバルブのバルブ本体内を通過する流動体の流路方向を表示する流路方向表示具および、この流路方向表示具を備えたバルブに関する。
【背景技術】
【０００２】
従来、上水用配管などに用いられている樹脂製のバルブは、地中に埋設された保護筐の内部に配置されており、上水用配管などに接続されている。
【０００３】
そして、このバルブ内を通過する上水の開閉作業が必要となった場合には、保護筐上部から、バルブ操作具を挿入する。この後、このバルブ操作具の先端部に設けられている操作部を、バルブの上部に設けられているキャップに嵌合させて、このキャップを回転させることによって、このバルブを開閉させる。
【０００４】
このとき、複数の配管が交差などしており、バルブが密集している場所では、このバルブに接続されている上流用配管の流路方向が判断しにくくなっているので、このバルブのバルブ本体の上面に目印を設ける構成が知られている(例えば、特許文献１参照。)。
【０００５】
この場合、このバルブの開閉作業や交換あるいは補修施工などを繰り返しているうちに、保護筐内に土砂や泥水などが堆積してしまい、バルブ本体の上面に設けた目印が見え難くなったり見え無くなったりするおそれがある。そこで、このバルブ本体の上面に取り付けられているフランジ部の外周縁よりも側方に向けて目印を突出させた構成が知られている(例えば、特許文献２参照。)。
【特許文献１】登録実用新案第３０４２６２４号公報（第５−６頁、図１−図３）
【特許文献２】特開２００４−６８８４２号公報（第３−４頁、図１−図４および図７−図８）
【発明の開示】
【発明が解決しようとする課題】
【０００６】
しかしながら、上述のようにバルブに接続された上流用配管の流路方向を示す目印を、このバルブのフランジ部の外周縁よりも側方に向けて突出させた構成では、このバルブのフランジ部より上まで保護筐内に土砂や泥水が堆積してしまう場合も多い。したがって、この場合には目印が隠れてしまうことを防止できず、配管の流路方向の判別が容易ではないという問題を有している。
【０００７】
本発明は、このような点に鑑みなされたもので、バルブの流路方向を容易に判別できる流路方向表示具、およびこの流路方向表示具を備えたバルブを提供することを目的とする。
【課題を解決するための手段】
【０００８】
請求項１記載の流路方向表示具は、地中に埋設されている筐体の内部に設置されたバルブのバルブ本体内を通過する流動体の流路方向を表示する流路方向表示具であって、前記バルブ本体から上方に向けて突出する流路方向表示手段を備えたものである。
【０００９】
そして、地中に埋設されている筐体の内部に土砂や泥水がある程度堆積した場合であっても、流路方向表示具をバルブ本体から上方に向けて突出させたことにより、このバルブ本体内を通過する流動体の流路方向が容易に判別できる。
【００１０】
請求項２記載の流路方向表示具は、請求項１記載の流路方向表示具において、流路方向表示手段は、バルブ操作具の嵌合部が嵌合される被嵌合部が設けられバルブを開閉させる開閉操作部の前記被嵌合部の下端より上方に向けて突出しているものである。
【００１１】
そして、バルブ操作具の嵌合部が嵌合される被嵌合部が設けられバルブを開閉させる開閉操作部の被嵌合部の下端より流路方向表示手段を上方に向けて突出させた。この結果、バルブを開閉操作するためには、少なくともバルブの開閉操作部の被嵌合部の下端まで、筐体内に堆積した土砂や泥水を取り除かなければ、このバルブの開閉操作部の被嵌合部にバルブ操作具の嵌合部を嵌合させて、このバルブ操作具にてバルブの開閉操作部を開閉操作できない。よって、バルブ操作具を用いてバルブを開閉操作するために、バルブの開閉操作部の被嵌合部の下端まで、筐体内に堆積した土砂や泥水を取り除くことによって、流路方向手段を確実に確認できるので、この流路方向表示手段にてバルブの流路方向を確実に判別できる。
【００１２】
請求項３記載の流路方向表示具は、請求項１または２記載の流路方向表示具において、流路方向表示手段は、バルブ本体の上部に取り付けられたフランジ部を固定するボルトを上方に突出させて構成されているものである。
【００１３】
そして、バルブ本体の上部に取り付けたフランジ部を固定するボルトを上方に突出させて流路方向表示手段とした。この結果、バルブ本体のフランジ部を固定する既存のボルトを長くするだけで流路方向表示手段を構成できる。したがって、この流路方向表示手段の構成が簡略にできるとともに、この流路方向表示手段にてバルブの流路方向を容易に表示できる。
【００１４】
請求項４記載の流路方向表示具は、請求項１または２記載の流路方向表示具において、流路方向表示手段は、バルブ本体の上部に取り付けられたフランジ部を固定するボルトおよびナットのいずれかに接続されているものである。
【００１５】
そして、バルブ本体の上部に取り付けられたフランジ部を固定するボルトおよびナットのいずれかに流路方向表示手段を接続させた。この結果、この流路方向表示手段を容易にバルブに取り付けることができる。よって、この流路方向表示手段の取り付けを容易にできる。
【００１６】
請求項５記載のバルブは、地中に埋設されている筐体の内部に設置されたバルブ本体と、このバルブ本体内を通過する流動体の流路方向を表示する請求項１ないし４いずれか記載の流路方向表示具とを具備したものである。
【００１７】
そして、地中に埋設されている筐体の内部に設置されたバルブ本体内を通過する流動体の流路方向を請求項１ないし４いずれか記載の流路方向表示具にて表示させる。したがって、請求項１ないし４いずれか記載の流路方向表示具と同様の作用を有する。
【発明の効果】
【００１８】
請求項１記載の流路方向表示具によれば、地中に埋設された筐体の内部に土砂や泥水がある程度堆積した場合であっても、流路方向表示具をバルブ本体から上方に向けて突出させたので、このバルブ本体内を通過する流動体の流路方向が容易に判別できる。
【００１９】
請求項２記載の流路方向表示具によれば、バルブを開閉操作するためには、少なくともバルブの開閉操作部の被嵌合部の下端まで、筐体内に堆積した土砂や泥水を取り除かなければ、このバルブの開閉操作部の被嵌合部にバルブ操作具の嵌合部を嵌合させて開閉操作部を開閉操作できないから、バルブ操作具を用いてバルブを開閉操作するために、バルブの開閉操作部の被嵌合部の下端まで、筐体内に堆積した土砂や泥水を取り除くことによって、流路方向手段を確実に確認できるため、この流路方向表示手段にてバルブの流路方向を確実に判別できる。
【００２０】
請求項３記載の流路方向表示具によれば、バルブ本体の上部に取り付けられたフランジ部を固定するボルトを上方に突出させて流路方向表示手段を構成したので、フランジ部を固定する既存のボルトを長くするだけで流路方向表示手段を構成できるから、この流路方向表示手段の構成が簡略にできるとともに、この流路方向表示手段にてバルブの流路方向を容易に表示できる。
【００２１】
請求項４記載の流路方向表示具によれば、バルブ本体の上部に取り付けたフランジ部を固定するボルトおよびナットのいずれかに流路方向表示手段を接続させたので、この流路方向表示手段を容易にバルブに取り付けることができるから、この流路方向表示手段の取り付けを容易にできる。
【００２２】
請求項５記載のバルブによれば、地中に埋設されている筐体の内部に設置されたバルブ本体内を通過する流動体の流路方向を請求項１ないし４いずれか記載の流路方向表示具にて表示させるので、請求項１ないし４いずれか記載の流路方向表示具と同様の効果を奏することができる。
【発明を実施するための最良の形態】
【００２３】
以下、本発明の埋設型制水弁装置の第１の実施の形態の構成を図１ないし図４を参照して説明する。
【００２４】
図１ないし図４において、１はバルブ装置としての埋設型制水弁装置である。この埋設型制水弁装置１は、地中２に埋設されている筐体としての保護筐３を備えている。この保護筐３の内部４には、バルブとしての制水弁５が設置されている。この制水弁５は、ポリ塩化ビニルなどの合成樹脂製である。すなわち、この制水弁５は、上水用の樹脂製バルブである。また、この制水弁５は、この制水弁５内を通過する流動体としての上水の通過を開閉可能に閉塞する図示しないバルブとしての弁体を備えている。
【００２５】
そして、この制水弁５は、地中２に埋設されている水道本管などの上水用配管６間に取り付けられている。さらに、この制水弁５の上端部には、弁開閉操作部７が設けられている。この弁開閉操作部７には、制水弁５の上水の通過の開閉を操作するバルブ操作具としての制水弁操作具８の先端部に設けられている嵌合部としての凹状の嵌合受部９が嵌着される。
【００２６】
ここで、保護筐３は、レジンコンクリートやポリ塩化ビニルなどの合成樹脂または鋳物などにて内面略円筒状に成形された筐本体11の上方側の嵌合開口部12に、略円板状の蓋体13が着脱可能に嵌合されて構成されている。さらに、この保護筐３の筐本体11の下側には、嵌合開口部12の内径寸法よりも円弧状に拡径して、この嵌合開口部12に対して同心状に開口した載置開口部14が形成されている。そして、この保護筐３の載置開口部14内の略中央部には、制水弁５が設置されている。
【００２７】
そして、この制水弁５は、バルブ本体としての弁箱である上下方向に沿った軸方向を有する略円柱状の弁本体21を備えている。この弁本体21の内部には、この弁本体21の径方向に沿った図示しない上水の流路が形成されている。この流路は、弁本体21内を上水が通過する際の流路である。そして、この弁本体21の流路内には、弁体が設けられている。さらに、この弁本体21内の流路の両端部には、円筒状の一対の受口22,23がそれぞれ突設されている。これら一対の受口22,23は、弁本体21内の弁体の相対する両側部に設けられている。
【００２８】
ここで、これら一対の受口22,23それぞれの内周面には、図示しないゴム輪が嵌合されて取り付けられている。さらに、これら一対の受口22,23は、互いに同心状に配置されるように直線状に設けられている。ここで、これら受口22,23の一方である上流側の受口22には、上水用配管６の下流端が内嵌合されて水密に接続されている。また、これら受口22,23の他方である下流側の受口23には、上水用配管６の上流端が内嵌合されて水密に接続されている。
【００２９】
さらに、弁本体21の上端面には、この弁本体21の上端面を閉塞する略円形平板状のフランジ部24が取り付けられている。このフランジ部24の外周部には、複数、例えば８個のボルト挿通孔25が穿設されている。これらボルト挿通孔25は、フランジ部24の厚み方向である上下方向に沿って貫通して設けられている。また、これらボルト挿通孔25は、フランジ部24の外周縁に沿って等間隔、例えば４５°間隔に離間された位置にそれぞれが設けられている。
【００３０】
そして、これらボルト挿通孔25間のそれぞれには、フランジ部24の径方向に沿って突出した直線状のリブ26が設けられている。これらリブ26は、フランジ部24の上端面に設けられており、このフランジ部24の外周縁に沿って等間隔、すなわち４５°間隔に離間された位置に設けられている。
【００３１】
ここで、これらリブ26のうち２つは、弁本体21の各受口22,23それぞれの軸方向に沿って設けられている。また、残りのリブ26のうち２つは、弁本体21の各受口22,23の軸方向に直交する方向である径方向に沿って設けられている。さらに、これら受口22,23の軸方向および径方向に沿ったリブ26以外の残りの４つのリブ26は、これら受口22,23の軸方向あるいは径方向に沿って設けられたリブ26間にそれぞれが設けられている。また、これら８つのリブ26間にボルト挿通孔25がそれぞれ設けられている。
【００３２】
さらに、弁本体21には、フランジ部24の各ボルト挿通孔25に連通する複数、例えば８個のボルト挿通孔27が穿設されている。これらボルト挿通孔27は、弁本体21の上端面をフランジ部24にて閉塞した状態で、このフランジ部24の各ボルト挿通孔25に連通する位置にそれぞれが設けられている。ここで、これらボルト挿通孔27は、弁本体21の上下方向に沿って貫通して設けられている。
【００３３】
そして、弁本体21とフランジ部24とは、この弁本体21の上端面にフランジ部24を当接させて取り付けて、このフランジ部24の各ボルト挿通孔25を弁本体21の各ボルト挿通孔27に連通させた状態で、これら連通した各ボルト挿通孔25,27間の弁本体21側からボルト体31a,31bの軸部32a,32bを挿入してこの軸部32a,32bの先端部をフランジ部24のボルト挿通孔25よりも上方に向けて突出させて連結固定されている。
【００３４】
このとき、これらボルト体31a,31bのうちの各ボルト体31bは、これら各ボルト体31bの軸部32bが、これらボルト体31b以外のボルト体31aの軸部32aよりも大きな長さ寸法を有している。また、これらボルト体31a,31bの軸部32a,32bの基端側に設けられている平面視六角形平板状の頭部33a,33bは、弁本体21の各ボルト挿通孔27の下面側に係止されている。
【００３５】
さらに、このフランジ部24よりも上方に向けて突出したボルト体31a,31bの軸部32a,32bには、これらボルト体31a,31bの軸部32a,32bの先端側から上面視六角形状の六角ナットであるナット体34がワッシャ体37を介して螺合されて取り付けられ、このフランジ部24が弁本体21の上端面にボルト固定されて取り付けられている。このとき、これらナット体34は、フランジ部24の各ボルト挿通孔25の上端面側に係止されて固定されている。
【００３６】
一方、このフランジ部24の上端面の中央部には、弁本体21内の弁体を操作して、この弁本体21内の流路の開閉を操作する弁開閉操作部７が突設されている。この弁開閉操作部７は、この弁開閉操作部７を周方向に向けて回転させることにより、弁本体21内の弁体にて、この弁本体21内の流路が開閉されるように構成されている。また、この弁開閉操作部７は、ＪＩＳ規格にて定められた形状に形成されている。
【００３７】
具体的に、この弁開閉操作部７の先端部には、上面視矩形柱状の被嵌合部として嵌合突部であるキャップ41が設けられている。このキャップ41は、先細状に傾斜したテーパ状に形成されており、制水弁操作具８の嵌合受部９が嵌合されて開閉操作される。そして、このキャップ41の基端縁である下端縁には、周方向に沿って嵌合縁部42が設けられている。なお、この嵌合縁部42は、制水弁操作具８の嵌合受部９を、弁開閉操作部７のキャップ41に嵌合させた状態で、この制水弁開閉具８の嵌合受部９の先端縁が位置する端部である。
【００３８】
ここで、制水弁５のフランジ部24の各ボルト挿通孔25に挿通されたボルト体31a,31bのうち、この制水弁５の流路方向Ａに対して平行な直線上の位置の２箇所のボルト体31bは、これらボルト体31bの軸部32bの先端部が弁開閉操作部７の嵌合縁部42よりも上方に向けて突出している。言い換えると、これら２つのボルト体31bは、制水弁５の一対の受口22,23の軸方向である流路方向Ａに沿った方向の直線上の位置の両端部に位置する２箇所に設けられている。これら２つのボルト体31bは、これら２つのボルト体31b以外の６つのボルト体31aより長く形成された長ボルトである。
【００３９】
すなわち、これら２つのボルト体31bは、弁本体21内を通過する上水の流路方向Ａを表示して指示する流路方向指示手段としての流路方向表示手段として機能する。よって、この流路方向表示手段は、弁本体21の上端面に取り付けられたフランジ部24を固定するボルト体31a,31bのうちの、弁本体21の流路方向Ａに沿った２つのボルト体31b自体を、このフランジ部24の上端面よりも上方に突出させることによって構成されている。
【００４０】
したがって、これら２つのボルト体31bは、弁本体21の上端面から上方に向けて突出している。すなわち、これら２つのボルト体31bは、これら２つのボルト体31bの軸部32bをフランジ部24の各ボルト挿通孔25から上方に向けて突出させている。この状態で、これら２つのボルト体31bは、これらボルト体31bの軸部32bの先端部が弁開閉操作部７の嵌合縁部42よりも上方に向けて突出する程度の長手寸法を有している。具体的に、これら２つのボルト体31bの先端部は、弁開閉操作部７のキャップ41の先端部と嵌合縁部42との間に位置している。
【００４１】
さらに、これら２つのボルト体31bそれぞれの先端部には、上面視六角形状の袋ナット35がそれぞれ取り付けられている。すわわち、これら袋ナット35によって、制水弁５の流路方向Ａがより容易に判別できる。さらに、これら袋ナット35に色彩を付けるなどすることによって、制水弁５の流路方向Ａがより判別しやすくなる。そして、これら袋ナット35と、これら袋ナット35が取り付けられている２つのボルト体31bとのそれぞれによって、制水弁５内の流路方向Ａを指示して表示する流路方向指示具としての流路方向表示具36が構成される。すなわち、これら袋ナット35もまた、弁本体21内を通過する上水の流路方向Ａを表示して指示する流路方向指示手段としての流路方向表示手段として機能する。
【００４２】
次に、上記第１の実施の形態の埋設型制水弁装置の作用を説明する。
【００４３】
まず、保護筐３の嵌合開口部12から蓋体13を取り外して、この嵌合開口部12を開口させる。
【００４４】
次いで、この保護筐３内に土砂や泥水などの堆積物Ｂが堆積して、この保護筐３内の制水弁５の弁開閉操作部７が堆積物Ｂ内に埋まってしまっている場合には、図４に示すように、この弁開閉操作部７を回転操作できる程度、すなわちこの弁開閉操作部７のキャップ41の嵌合縁部42までが露出する程度まで、この保護筐３内の堆積物Ｂを取り除く。
【００４５】
このとき、制水弁５の流路方向表示具36を構成する袋ナット35および、これら袋ナット35が取り付けられた長ボルトであるボルト体31bの軸部32bのそれぞれが保護筐３内の堆積物Ｂから露出する。したがって、これら袋ナット35およびボルト体31bによって、制水弁５に接続されている上水用配管６の流路方向が表示されるので、この制水弁５の流路方向が容易に判断できる。
【００４６】
この後、保護筐３の嵌合開口部12から制水弁操作具８を挿入して、この制水弁操作具８の嵌合受部９を制水弁５の弁開閉操作部７のキャップ41に嵌合させる。この状態で、この制水弁操作具８を操作して、制水弁５の弁開閉操作部７を回転させて、この制水弁５内の弁体による流路の開閉を操作する。
【００４７】
そして、この制水弁５内の弁体を開閉操作した後に、この制水弁５の弁開閉操作部７から制水弁操作具８の嵌合受部９を取り外して、この制水弁操作具８を保護筐３の嵌合開口部12から取り出す。この後、この嵌合開口部12に蓋体13を取り付けて、この嵌合開口部12を閉塞する。
【００４８】
上述したように、上記第１の実施の形態によれば、長期間の設置によって保護筐３内の制水弁５のフランジ部24より上方まで土砂や泥水などの堆積物Ｂが比較的大量に堆積してしまう場合も多い。
【００４９】
そこで、この保護筐３内の制水弁５のフランジ部24を固定するボルト体31a,31bのうち、この制水弁５の流路方向に沿った両端部に位置する一対のボルト体31bを長ボルトとし、これら一対のボルト体31bをフランジ部24の上端面よりも上方に向けて突出させて、この制水弁５の流路方向を表示する流量方向表示具36とした。
【００５０】
この結果、地中２に埋設されている保護筐３の内部に堆積物Ｂがある程度堆積した場合であっても、この保護筐３内の制水弁５の流路方向表示具36を構成する一対のボルト体31bが保護筐３内に堆積した堆積物Ｂよりも上方に突出していれば、これら一対のボルト体31bが堆積物Ｂに埋まって隠れてしまうことを防止できる。このため、この保護筐３内の制水弁５の流路方向や、この制水弁５に接続された上水用配管６の流路方向を容易に判別できる。
【００５１】
このとき、実際に保護筐３内の制水弁５を開閉操作するためには、制水弁操作具８の嵌合受部９を制水弁５の弁開閉操作部７のキャップ41に嵌合させる都合上、このキャップ41まで保護筐３内に堆積物Ｂが堆積している場合に、図４に示すように、制水弁５を開閉操作できる最低の高さ、すなわち少なくとも制水弁５の弁開閉操作部７の嵌合縁部42まで、保護筐３内に堆積した堆積物Ｂを取り除かなければ、この制水弁５の弁開閉操作部７のキャップ41に制水弁操作具８の嵌合受部９を嵌合させて、この制水弁操作具８にて制水弁５の弁開閉操作部７を開閉操作できない。
【００５２】
そこで、この制水弁５の流路方向を表示する流路方向表示具36を構成する一対のボルト体31bを、この制水弁５の弁開閉操作部７のキャップ41の下端である嵌合縁部42よりも上方に向けて突出させた構成とした。この結果、制水弁５を制水弁操作具８で開閉操作する際に、制水弁５の弁開閉操作部７の嵌合縁部42まで、保護筐３内に堆積した堆積物Ｂを取り除くことによって、この制水弁５に突設させた一対のボルト体31bを確実に確認できる構成となるから、実際上の問題はなく、これら一対のボルト体31bによって制水弁５の流路方向を確実に判別できる。
【００５３】
さらに、制水弁５の流路方向を表示する流量方向表示具36を、制水弁５の弁本体21の上端面に取り付けられたフランジ部24を固定するボルト体31bを上方に突出させて構成した。この結果、このフランジ部24を弁本体21に固定するための既存のボルト体31aを長くして長ボルト状のボルト体31bとするだけで、流路方向表示具36を構成できるから、この流路方向表示具36の構成を簡略にできるとともに、この流路方向表示具36にて制水弁５の流路方向を容器に表示できる。
【００５４】
また、制水弁５の流路方向を表示する流路方向表示具36を構成する一対のボルト体31bそれぞれの先端部に袋ナット35をそれぞれ取り付けた構成とした。この結果、これら袋ナット35によって制水弁５の流路方向がより確実かつ容易に判別できる。したがって、これら袋ナット35も流量方向表示具36を構成する。
【００５５】
なお、上記第１の実施の形態の袋ナット35や一対のボルト体31bに色彩を付して、これら袋ナット35や一対のボルト体31bを制水弁５より目立たせる構成とすることもできる。
【００５６】
このとき、これら袋ナット35の色や形状などを異ならせることによって、制水弁５の流路方向Ａの上流および下流を判別できる構成とすることもできる。例えば、これら袋ナット35の一方を青色とするとともに、これら袋ナットの他方35を赤色としたり、これら袋ナット35に上流あるいは下流を示す記号や文字などを付したりして、制水弁５の流路方向Ａの上流および下流を判別できる構成とする。
【００５７】
さらに、図５ないし図７に示す第２の実施の形態のように、制水弁５のフランジ部24および弁本体21の互いに連通したボルト挿通孔25,27のそれぞれにボルト体31aが挿入されており、これらボルト体31aのうち制水弁５の流路方向Ａに沿った直線上の位置のボルト体31aの先端部に長ナット51を取り付けて、これら長ナット51の先端部に長ボルト52の軸部53を螺合させて連結させ、これら長ナット51および長ボルト52にて流路方向表示具36とすることもできる。このとき、これら長ボルト52は、流路方向表示手段として機能するボルト体である。
【００５８】
この場合、フランジ部24を弁本体21に固定させる各ボルト体31aの軸部32aは、このフランジ部24の上端面よりも先端部が若干突出している。そして、制水弁５の流路方向に沿った両端部に位置する一対のボルト体31aの先端部には、流路方向表示手段としてのナット体である長ナット51がそれぞれ取り付けられている。さらに、これら長ナット51が取り付けられた一対のボルト体31a以外の各ボルト体31aの先端部には、ナット体34がそれぞれ取り付けられている。
【００５９】
このとき、図７に示すように、長ナット51が取り付けられた一対のボルト体31aの先端部には、円環状のワッシャ体54がそれぞれ取り付けられている。そして、これらワッシャ体54が一対のボルト体31aの先端部に挿通されて取り付けられた状態で、これら一対のボルト体31aそれぞれの先端部に長ナット51が取り付けられて接続されている。
【００６０】
さらに、これら長ナット51の先端側には、長ボルト52の軸部53の先端部が螺合されて連結されている。これら長ボルト52の基端側に設けられている六角形状の六角ナットである頭部55は、フランジ部24の上端面よりも上方に向けて突出している。具体的に、これら長ボルト52の頭部55は、制水弁５の弁開閉操作部７の嵌合縁部42より上方に向けて突出している。
【００６１】
この結果、保護筐３内の制水弁５のフランジ部24を固定するボルト体31aのうち、この制水弁５の流路方向に沿った直線上の位置の両端部に位置する一対のボルト体31aの先端部に長ナット51を取り付け、これら長ナット51に長ボルト52を取り付けて、これら長ボルト52にて流量方向表示具36を構成した。よって、これら長ボルト52にて保護筐３内の制水弁５の流路方向が判別できるから、上記第１の実施の形態と同様の作用効果を奏することができる。
【００６２】
さらに、制水弁５のフランジ部24を固定するボルト体31aの先端部に長ナット51を介して流路方向表示具36となる長ボルト52を取り付けた。この結果、この流路方向表示具36を制水弁５に容易に取り付けることができる。よって、この流路方向表示具36の制水弁５への取り付けを容易にできる。
【００６３】
また、この流路方向表示具36を構成する長ボルト52を、制水弁５のフランジ部24を締め付け固定するボルト体31aと独立させて別体に構成できる。これにより、これら長ボルト52のそれぞれを、ボルト体31aよりも脆い、例えば合成樹脂製とすることにより、これら長ボルト52に衝撃を加えた場合に、ボルト体31aよりも先に長ボルト52が破損する構成となる。したがって、これら長ボルト52のみが破壊するだけだから、本体である制水弁５の破損を防止できる。したがって、この制水弁５が破損して漏水などするおそれを確実に無くすことができる。
【００６４】
さらに、この制水弁５のフランジ部24を締め付け固定するボルト体31aを短いままで使用できるので、これらボルト体31aをナット体34に締め込む回転数を減らすことができる。よって、これらボルト体31aをフランジ部24に取り付けて、これらボルト体31aにナット体34を締め込んでフランジ部24を弁本体21の上端面に取り付ける際の手間が増えない。
【００６５】
なお、上記第２の実施の形態では、長ナット51自体をより長くして、これら長ナット51にて制水弁５の流路方向を表示する流路方向表示具36を構成することもできる。この場合、この流路方向表示具36は、制水弁５の流路方向に沿った両端部のボルト体31aの先端部に取り付けられている一対の長ナット51にて構成されている。
【図面の簡単な説明】
【００６６】
【図１】本発明のバルブの第１の実施の形態の設置状態を示す説明断面図である。
【図２】同上バルブを示す正面図である。
【図３】同上バルブを示す上面図である。
【図４】同上バルブの開閉操作状態を示す説明断面図である。
【図５】本発明の第２の実施の形態のバルブを示す正面図である。
【図６】同上バルブを示す上面図である。
【図７】同上バルブの流路方向表示具を示す拡大説明図である。
【符号の説明】
【００６７】
２    地中
３    筐体としての保護筐
５    バルブとしての制水弁
８    バルブ操作具としての制水弁操作具
９    嵌合部としての嵌合受部
21    バルブ本体としての弁本体
24    フランジ部
31a   ボルトとしてのボルト体
31b   流路方向表示手段としてのボルトであるボルト体
34    ナットとしてのナット体
35    流路方向表示手段としてのナットである袋ナット
36    流路方向表示具
41    被嵌合部としてのキャップ
42    下端である嵌合縁部
51    流路方向表示手段としてのナットである長ナット
52    流路方向表示手段としてのボルトである長ボルト
【図１】
2005337331.tif 000003
【図２】
2005337331.tif 000004
【図３】
2005337331.tif 000005
【図４】
2005337331.tif 000006
【図５】
2005337331.tif 000007
【図６】
2005337331.tif 000008
【図７】
2005337331.tif 000009